(57)【要約】【課題】  ウェブページについての直感的な全体情報の把握と分かり易い閲覧を可能とする。【解決手段】  仮想的な建造物を電子データにより構築し、該建造物の少なくとも壁、机を含む複数の所定の展示スペースを構築する仮想建造物作成部１１と、インターネット上でウェブページを解析してツリー構造に変換するリンク解析部１２と、リンク解析部により得られたツリー構造の各部を前記複数の展示スペースのそれぞれに対して割り付けて展示場を構成するページ割り付け部１３と、展示スペースに割り付けられたページのサムネイル画像のすべてが貼り付けられるようにサムネイル画像の大きさと位置を調整して貼り付ける貼り付け部１４と、仮想的な建造物内をウォークスルーするようにウェブページを閲覧させる仮想展示場閲覧部１５とを備える。【選択図】        図１
2006107358.tif 000002
【特許請求の範囲】
【請求項１】
ウェブページより取得される複数のサムネイル画像を表示させてウェブページの閲覧を行えるようにするウェブページ閲覧装置であって、
コンピュータディスプレイに表示することができる仮想的な建造物を電子データにより構築し、該建造物の少なくとも壁、机を含む複数の所定の展示スペースを構築する仮想建造物作成部と、
インターネット上でウェブページを解析してツリー構造に変換するリンク解析部と、
前記リンク解析部により得られたツリー構造の各部を前記複数の展示スペースのそれぞれに対して割り付けて展示場を構成するページ割り付け部と、
前記展示スペースに割り付けられたページのサムネイル画像のすべてが貼り付けられるようにサムネイル画像の大きさと位置を調整して貼り付ける貼り付け部と、
前記仮想的な建造物内をウォークスルーするようにウェブページを閲覧させる仮想展示場閲覧部と
を備えるウェブページ閲覧装置。
【請求項２】
ウェブページより取得される複数のサムネイル画像を表示させてウェブページの閲覧を行えるようにするウェブページ閲覧装置であって、
コンピュータディスプレイに表示することができる仮想的な建造物を電子データにより構築し、該建造物の少なくとも壁、机を含む複数の所定の展示スペースを構築する仮想建造物作成部と、
前記複数の展示スペースに対応してテーマを設定するテーマ設定部と、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、
前記テーマ選別部により選別されたテーマに対応するデジタル資料についてのサムネイル画像のすべてが、前記テーマ設定部により設定されたテーマに対応する展示スペースに貼り付けられるようにサムネイル画像の大きさと位置を調整して貼り付ける貼り付け部と、
前記仮想的な建造物内をウォークスルーするようにウェブページを閲覧させる仮想展示場閲覧部と
を備えるウェブページ閲覧装置。
【請求項３】
ウェブページより取得される複数のサムネイル画像を表示させてウェブページの閲覧を行えるようにするウェブページ閲覧装置であって、
コンピュータディスプレイに表示することができる仮想的な建造物を電子データにより構築し、該建造物の少なくとも壁、机を含む複数の所定の展示スペースを構築する仮想建造物作成部と、
ウェブページ閲覧のために、展示しようとするテーマを設定するテーマ設定部と、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、
前記テーマ選別部により選別されたテーマのうちから任意の二つのテーマに対してデジタル資料同士のリンク関係及び資料内のテーマに関するキーワードの共起関係によりテーマ間の距離を計算するテーマ距離計算部と、
前記複数の展示スペース間の物理的な距離を計算する展示スペース距離計算部と、
前記展示スペース距離計算部により計算された展示スペース間の距離と前記テーマ距離計算部により計算されたテーマ間の距離を対応付けて、各展示スペースに展示するテーマを割り付けるテーマ割り付け部と、
前記テーマ割り付け部により割り付けられたテーマに対応するデジタル資料についてのサムネイル画像のすべてが、該テーマが割り付けられた展示スペースに貼り付けられるようにサムネイル画像の大きさと位置を調整して貼り付ける貼り付け部と、
前記仮想的な建造物内をウォークスルーするようにウェブページを閲覧させる仮想展示場閲覧部と
を備えるウェブページ閲覧装置。
【請求項４】
ウェブページより取得される複数のサムネイル画像を表示させてウェブページの閲覧を行えるようにするウェブページ閲覧装置であって、
ウェブページ閲覧のために、展示しようとするテーマを設定するテーマ設定部と、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、
前記テーマ選別部により選別されたテーマのうちから任意の二つのテーマに対してデジタル資料同士のリンク関係および資料内のテーマに関するキーワードの共起関係によりテーマ間の距離を計算するテーマ距離計算部と、
前記テーマ距離計算部により計算されたテーマ間の距離に基づいて、展示スペースを組み合わせた展示室を自動的に生成し、さらに展示室を組み合わせて展示場を自動的に生成する自動レイアウト部と、
前記自動レイアウト部により生成された展示場の展示スペースにテーマに対応するデジタル資料についてのサムネイル画像のすべてを貼り付ける貼り付け部と、
前記仮想的な建造物内をウォークスルーするようにウェブページを閲覧させる仮想展示場閲覧部と
を備えるウェブページ閲覧装置。
【請求項５】
ウェブページより取得される複数のサムネイル画像を表示させてウェブページの閲覧を行うことをコンピュータに実行させるウェブページ閲覧プログラムであって、
コンピュータディスプレイに表示することができる仮想的な建造物を電子データにより構築し、該建造物の少なくとも壁、机を含む複数の所定の展示スペースを構築する仮想建造物作成ステップと、
インターネット上でウェブページを解析してツリー構造に変換するツリー解析ステップと、
前記ツリー解析ステップにより得られたツリー構造の各部を前記複数の展示スペースのそれぞれに対して割り付けて展示場を構成するページ割り付けステップと、
前記展示スペースに割り付けられたページのサムネイル画像のすべてが貼り付けられるようにサムネイル画像の大きさと位置を調整して貼り付ける貼り付けステップと、
前記仮想的な建造物内をウォークスルーするようにウェブページを閲覧させる仮想展示場閲覧ステップと
をコンピュータに実行させるウェブページ閲覧プログラム。
【発明の詳細な説明】
【技術分野】
【０００１】
本発明はインターネットで公開されているウェブページの閲覧装置及びプログラムに関し、特に、ウェブページで公開されている遺跡、郷土資料、植物標本などのデジタル資料をより効率的かつわかりやすく閲覧できるようにするためのウェブページ閲覧装置及びウェブページ閲覧プログラムに関する。
【背景技術】
【０００２】
インターネット上では、遺跡、郷土資料、植物標本などのデジタル資料がウェブページとして大量に公開されている。これらデジタル資料を閲覧する際には、ウェブページの閲覧方法と同様に、リンクを辿りページごとに表示された内容を閲覧する方法が一般的である。
【発明の開示】
【発明が解決しようとする課題】
【０００３】
ウェブページの情報はハイパーリンク構造となっており、複雑な構造の情報表現には適しているが、関連情報の全体像を把握するのは困難である。デジタル資料を閲覧する際には、個々の情報の閲覧だけでなく、資料全体を把握することが必要であり、従来のウェブページの構造は適していない。なお、デジタル資料の公開方法としてウェブページ以外の手法を利用する方法がある。しかし、かかる方法においては標準的な構造が決まっておらず、様々な形態のものが乱立するという問題や、すでにウェブページとして存在していて、データの変換にコストがかかるといった問題がある。
【０００４】
本発明は、ウェブページの構造を自動的に解析し、実世界で慣れ親しんでいる三次元構造物へのマッピングを行うことで、直感的な全体情報の把握とわかりやすい閲覧を可能とするウェブページ閲覧装置及びウェブページ閲覧プログラムを提供することを目的とする。
【課題を解決するための手段】
【０００５】
上述した課題を解決するため、本発明は、ウェブページより取得される複数のサムネイル画像を表示させてウェブページの閲覧を行えるようにするウェブページ閲覧装置であって、コンピュータディスプレイに表示することができる仮想的な建造物を電子データにより構築し、該建造物の少なくとも壁、机を含む複数の所定の展示スペースを構築する仮想建造物作成部と、インターネット上でウェブページを解析してツリー構造に変換するリンク解析部と、前記リンク解析部により得られたツリー構造の各部を前記複数の展示スペースのそれぞれに対して割り付けて展示場を構成するページ割り付け部と、前記展示スペースに割り付けられたページのサムネイル画像のすべてが貼り付けられるようにサムネイル画像の大きさと位置を調整して貼り付ける貼り付け部と、前記仮想的な建造物内をウォークスルーするようにウェブページを閲覧させる仮想展示場閲覧部とを備えるものである。
【０００６】
また、本発明は、ウェブページより取得される複数のサムネイル画像を表示させてウェブページの閲覧を行えるようにするウェブページ閲覧装置であって、コンピュータディスプレイに表示することができる仮想的な建造物を電子データにより構築し、該建造物の少なくとも壁、机を含む複数の所定の展示スペースを構築する仮想建造物作成部と、前記複数の展示スペースに対応してテーマを設定するテーマ設定部と、ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、前記テーマ選別部により選別されたテーマに対応するデジタル資料についてのサムネイル画像のすべてが、前記テーマ設定部により設定されたテーマに対応する展示スペースに貼り付けられるようにサムネイル画像の大きさと位置を調整して貼り付ける貼り付け部と、前記仮想的な建造物内をウォークスルーするようにウェブページを閲覧させる仮想展示場閲覧部とを備えるものである。
【０００７】
また、本発明は、ウェブページより取得される複数のサムネイル画像を表示させてウェブページの閲覧を行えるようにするウェブページ閲覧装置であって、コンピュータディスプレイに表示することができる仮想的な建造物を電子データにより構築し、該建造物の少なくとも壁、机を含む複数の所定の展示スペースを構築する仮想建造物作成部と、ウェブページ閲覧のために、展示しようとするテーマを設定するテーマ設定部と、ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、前記テーマ選別部により選別されたテーマのうちから任意の二つのテーマに対してデジタル資料同士のリンク関係および資料内のテーマに関するキーワードの共起関係によりテーマ間の距離を計算するテーマ距離計算部と、前記複数の展示スペース間の物理的な距離を計算する展示スペース距離計算部と、前記展示スペース距離計算部により計算された展示スペース間の距離と前記テーマ距離計算部により計算されたテーマ間の距離を対応付けて、各展示スペースに展示するテーマを割り付けるテーマ割り付け部と、前記テーマ割り付け部により割り付けられたテーマに対応するデジタル資料についてのサムネイル画像のすべてが、該テーマが割り付けられた展示スペースに貼り付けられるようにサムネイル画像の大きさと位置を調整して貼り付ける貼り付け部と、前記仮想的な建造物内をウォークスルーするようにウェブページを閲覧させる仮想展示場閲覧部とを備えるものである。
【０００８】
また、本発明は、ウェブページより取得される複数のサムネイル画像を表示させてウェブページの閲覧を行えるようにするウェブページ閲覧装置であって、ウェブページ閲覧のために、展示しようとするテーマを設定するテーマ設定部と、ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、前記テーマ選別部により選別されたテーマのうちから任意の二つのテーマに対してデジタル資料同士のリンク関係および資料内のテーマに関するキーワードの共起関係によりテーマ間の距離を計算するテーマ距離計算部と、前記テーマ距離計算部により計算されたテーマ間の距離に基づいて、展示スペースを組み合わせた展示室を自動的に生成し、さらに展示室を組み合わせて展示場を自動的に生成する自動レイアウト部と、前記自動レイアウト部により生成された展示場の展示スペースにテーマに対応するデジタル資料についてのサムネイル画像のすべてを貼り付ける貼り付け部と、前記仮想的な建造物内をウォークスルーするようにウェブページを閲覧させる仮想展示場閲覧部とを備えるものである。
【０００９】
また、本発明は、ウェブページより取得される複数のサムネイル画像を表示させてウェブページの閲覧を行うことをコンピュータに実行させるウェブページ閲覧プログラムであって、コンピュータディスプレイに表示することができる仮想的な建造物を電子データにより構築し、該建造物の少なくとも壁、机を含む複数の所定の展示スペースを構築する仮想建造物作成ステップと、インターネット上でウェブページを解析してツリー構造に変換するツリー解析ステップと、前記ツリー解析ステップにより得られたツリー構造の各部を前記複数の展示スペースのそれぞれに対して割り付けて展示場を構成するページ割り付けステップと、前記展示スペースに割り付けられたページのサムネイル画像のすべてが貼り付けられるようにサムネイル画像の大きさと位置を調整して貼り付ける貼り付けステップと、前記仮想的な建造物内をウォークスルーするようにウェブページを閲覧させる仮想展示場閲覧ステップとをコンピュータに実行させるものである。
【発明の効果】
【００１０】
本発明によれば、ウェブページの構造と内容をそのまま活かし、ウェブページの表現方法として三次元ウォークスルー閲覧機能を付加価値として提供することが可能となる。
また、本発明によれば、現実世界と同じような建造物内にデジタル資料を配置した展示場を、既にデジタル資料が公開されているウェブページの情報から自動的に生成することにより、情報の全体像を容易に把握でき、直感的で効率のよい閲覧を行うことが可能となる。
【発明を実施するための最良の形態】
【００１１】
以下、本発明の実施の形態を図面を参照しつつ説明する。
【００１２】
実施の形態１．
図１に実施の形態１に係るウェブページ閲覧装置のブロック構成図を示す。このウェブページ閲覧装置は、仮想建造物作成部１１と、リンク解析部１２と、ページ割り付け部１３と、自動貼り付け部１４と、仮想展示場閲覧部１５とを備える。
【００１３】
仮想建造物作成部１１は、ウェブページを展示するための仮想三次元建造物を、オペレータが操作することによって電子データにより作成する。リンク解析部１２は、インターネットにおけるウェブページのリンク関係を解析し、ウェブページをトップページからのリンク数によって階層化し、ウェブページのツリー構造を取得する。ページ割り付け部１３は、仮想建造物作成部１１で作成された仮想三次元建造物の壁や展示台、机といった展示スペースごとに、リンク解析部１２で計算した階層、あるいはパスを対応させる。
【００１４】
自動貼り付け部１４は、仮想建造物作成部１１で作成された仮想三次元建造物の各展示スペースに、ページ割り付け部１３によって割り付けられたページのサムネイル画像を自動的に貼り付ける。このとき、自動貼り付け部１４は、展示スペースの大きさとその展示スペースに展示するサムネイル画像の数を解析し、展示スペースに合った大きさで各サムネイル画像を貼り付ける位置・大きさを決定する。
【００１５】
仮想展示場閲覧部１５は、仮想建造物作成部１１で作成された仮想三次元建造物内をオペレータの操作によってウォークスルーするかのように、現実世界の博物館や美術館を訪問するのと同様に、仮想三次元建造物内の各展示スペースに展示されているサムネイル画像を閲覧させる。
【００１６】
図１２は、コンピュータ画面において、この閲覧状態を示した図であり、展示場の壁５０、机６０などの展示スペースにサムネイル画像７０が展示され、この展示場（仮想の建造物）内を例えば、適所をクリックするなどしてウォークスルーしている状況下でウェブページを閲覧することができる。
【００１７】
次に実施の形態１の動作について説明する。
まずはオペレータが仮想建造物作成部１１により、デジタル資料を展示するための仮想三次元建造物を作成する。仮想三次元建造物は閲覧者があらかじめ作成してもよいし、ウェブページ管理者がそのウェブページ閲覧用にあらかじめ準備したものを取得してもよい。また、第三者が作成し公開しているものを利用してもよい。
【００１８】
閲覧者が閲覧するウェブページのトップページを指定すると、リンク解析部１２が、指定されたトップページからリンクが張られている同サイト内のページをすべて取得し、トップページからのリンクによってツリー構造を生成する。一般的にウェブページは網構造になっているが、トップページからそのページに至るまでに辿るリンク数をリンク距離とし、その距離が最も小さくなるトップページからのパス以外のリンクを削除することによって網構造をトップページを根としたツリー構造に変換できる。
【００１９】
リンク数が同じパスが複数存在する場合には、任意のパスを選択する。ツリー構造が生成されたら、ページ割り付け部１３により仮想三次元建造物の展示スペースに展示するツリー構造のノードを割り付ける。割り付け方は、ある展示スペースにはリンク距離「１」のページ、次の展示スペースにはリンク距離「２」のページというように横断的に情報を提示するための割り付け方法でもよいし、トップページからのパスにそってリンク距離「１」のページ、リンク距離「２」のページと辿っていくように縦断的に情報を提示するための割り付け方法でもよい。
【００２０】
次に自動貼り付け部１４において、仮想建造物作成部１１により作成された仮想三次元建造物の各展示スペースに対して、ページ割り付け部１３によって割り付けられたページのサムネイル画像を配置する。
【００２１】
これにより、適切な展示スペースにウェブページが展示された仮想展示場が完成し、仮想展示場閲覧部１５によって、この仮想展示場内をウォークスルーして、ウェブページを閲覧することが可能となる。
【００２２】
以上の動作をより具体的に説明するため、図１０（ａ）のような網構造を持ったウェブページを閲覧する例を図２のフローチャートを用いて説明する。なお、図１０（ｂ）はウェブページのツリー構造を示す図である。
【００２３】
閲覧者はあらかじめウェブページを展示する博物館のモデルを準備する（Ｓ１０１）。この場合、ディスプレイに仮想三次元空間を表示し、その空間にあらかじめ作成されている壁や机といった部品を組み立てていくことによって博物館モデルを作成する。モデルの作成は、ＣＡＤシステムや三次元モデリングシステムなどを使って、一から作成してもよいし、実在する建造物のＣＡＤデータを取り込んでも良い。
【００２４】
閲覧者はこのように博物館モデルを用意しておき、この博物館モデルを使ってウェブページを閲覧する。閲覧者は自分で博物館モデルを作成するのではなく、第三者が作成し公開しているものを利用してもよい。また博物館モデルを複数用意しておき、好みに応じて選択した博物館モデルを使ってウェブページを閲覧してもよい。さらに、ウェブページ閲覧時に、閲覧しようとしているウェブページの管理者がそのウェブページ閲覧用にあらかじめ準備したものを取得し、それを利用してもよい。
【００２５】
閲覧者はまず、閲覧するウェブページのトップページを指定する（Ｓ１０２）。すると本装置は指定されたトップページからのリンクを辿り、トップページと同サイトのページをすべて取得する（Ｓ１０３）。その後、それらページからリンク関係によりツリー構造を生成する（Ｓ１０４）。
【００２６】
トップページからそのページに至るまでに辿るリンクの数をリンク距離とし、各ページのリンク距離を算出する。一般的にウェブページは網構造になっているため、ページに至るまでに辿るリンクパスは多数存在する。そこで、それらパスのうち、リンク距離が最も小さくなるパスのみを残すように不要なリンクを削除していくことで、トップページを根としたツリー構造に変換することができる。リンク数が同じパスが複数存在する場合には、任意のパスを選択する。図１０に網構造のウェブページ（図１０（ａ））をツリー構造（図１０（ｂ））に変換した例を示す。
【００２７】
次に、どのページを博物館モデルのどの展示スペースに展示するかを割り当てる（Ｓ１０５）。割り付け方は、ある展示スペースにはリンク距離「１」のページ、次の展示スペースにはリンク距離「２」のページというように横断的に情報を提示するための割り付け方法でもよい（図１１（ａ））し、トップページからのパスにそってリンク距離「１」のページ、リンク距離「２」のページと辿っていくように縦断的に情報を提示するための割り付け方法でもよい（図１１（ｂ））。また、展示スペースの数によって木構造を分割し、各部分木を割り付けるのでもよい（図１１（ｃ））。
【００２８】
割り付けが決定したら、各展示スペースにページのサムネイル画像を配置する。まずは、展示スペースの大きさと、その展示スペースに割り付けられたページ数から、一つのページをどの程度の大きさでどのように配置するかを決定する（Ｓ１０６）。例えば、ページ数XをM×Nに並べて配置するように、展示スペースをM×Nに分割し、各領域のサイズからページのサムネイル画像の大きさを決定する方法がある。また、展示スペース内に、展示位置をそれぞれ一定以上の間隔が開くようにランダムに配置し、間隔の広さに応じて各ページのサムネイル画像の大きさを決定するなどの方法も考えられる。
【００２９】
配置位置とサイズが決定したら、決定したサイズのサムネイル画像を作成し（Ｓ１０７）、そのサムネイル画像を指定位置に貼り付ける（Ｓ１０８）。さらに、そのページの元URLへのリンクをそのサムネイル画像に作成する（Ｓ１０９）。
【００３０】
このように、ウェブページとして公開されている植物標本データを解析して、自動的にテーマに分類し博物館モデルに貼り付けることによって、実世界の博物館を訪れて閲覧するような直感的でわかりやすいインタフェースを持った仮想博物館を容易に作成することが可能となる。また、仮想博物館内の標本のサムネイル画像から元のウェブページにアクセスし三次元展示空間からウェブページの多次元接続網空間に行き来することができるため、情報表現手法が一気に広がり、わかりやすい表現方法を提示することができる。
【００３１】
実施の形態２．
図３に実施の形態２のウェブページ閲覧装置のブロック構成図を示す。実施の形態２のウェブページ閲覧装置は、仮想建造物作成部１１と、自動貼り付け部１４と、仮想展示場閲覧部１５と、テーマ設定部２１と、テーマ選別部２２とを備える。
ここで、仮想建造物作成部１１と、自動貼り付け部１４と、仮想展示場閲覧部１５とは、図１に示した実施の形態１の各部と同一または相当物であり、ここでの説明を省略する。
【００３２】
テーマ設定部２１は、仮想建造物作成部１１で作成された仮想三次元建造物の壁や展示台、机といった展示スペースごとに、その展示スペースに展示するデジタル資料のテーマを、オペレータが操作することによって設定する。
【００３３】
テーマ選別部２２は、ウェブページ上の各デジタル資料に対して、ファイル名、リンク情報、資料の内容を解析し、テーマ設定部２１で設定されたテーマのうち、どのテーマに最も適しているかを選別する。
【００３４】
選別方法としてはいくつかの方法が考えられ、キーワードの一致度によるものや、共通の被リンクページによるものなどがある。
【００３５】
次に実施の形態２の動作について説明する。まずはオペレータが仮想建造物作成部１１により、デジタル資料を展示するための仮想三次元建造物を作成する。次に作成した仮想三次元建造物の壁や展示台、机といった各展示スペースに対して、テーマ設定部２１により展示するデジタル資料のテーマを指定する。
【００３６】
次に、テーマ選別部２２が指定されたウェブページからデジタル資料を探し出し、その資料のファイル名、リンク情報、資料のテキスト文やメタデータ、画像といった関連情報を抽出する。さらに、この関連情報を解析し、テーマ選別部２２により設定されたテーマの中から最も適しているテーマを選別する。
【００３７】
次に、自動貼り付け部１４において、仮想建造物作成部１１により作成された仮想三次元建造物の各展示スペースに対して、テーマ選別部２２によって選別された、テーマに関連するデジタル資料を配置する。
【００３８】
これにより、適切な展示スペースにデジタル資料が展示された仮想展示場が完成し、仮想展示場閲覧部１５によって、この仮想展示場内をウォークスルーして、デジタル資料を閲覧することが可能となる。
【００３９】
以上の構成により、ウェブページ上のデジタル資料から、デジタル資料を配置した仮想三次元建造物を自動的に作成し、実空間で博物館や美術館を訪問した感覚でのデジタル資料閲覧を実現する。
【００４０】
以上の動作をより具体的に説明するため、ウェブページ上で公開している植物標本の資料を展示する仮想博物館を作成する例を想定して、その動作を図４、図５のフローチャートを用いて説明する。
【００４１】
まずは、植物標本を展示する博物館のモデルを作成する（Ｓ２０１）。ディスプレイに仮想三次元空間を表示し、その空間にあらかじめ作成されている壁や机といった部品を組み立てていくことによって博物館モデルを作成する。モデルの作成は、CADシステムや三次元モデリングシステムなどを使って、一から作成してもよいし、実在する建造物のCADデータを取り込んでも良い。
【００４２】
さらに、作成した博物館モデルに対して、植物標本を展示する壁や展示台、机などの部品を指定する（Ｓ２０２）。各展示スペースには、対応する展示スペースＩＤを割り振る（Ｓ２０３）。
【００４３】
次に、各展示スペースに対してテーマ名を設定する（Ｓ２０４）。例えば、一つのある壁Ａには高山地帯の植物に関する資料を、それにとなり合う他の一つの壁Ｂにはコケ類に関する資料を展示する、といった設定を行う。このとき、そのテーマに関連するキーワードを複数入力しておく（Ｓ２０５）。
【００４４】
次にオペレータは植物標本を公開しているウェブページのトップページを指定する（Ｓ２０６）。するとシステムがそのトップページからリンクされているすべてのウェブページを探索し、すべてのデータを収集する（Ｓ２０７）。さらに、システムは各データが植物標本なのかどうかを判定し（Ｓ２０８）、植物標本データの画像、テキスト文、リンク情報、URLを格納する（Ｓ２０９）。
【００４５】
植物標本かどうかの判定は、植物標本のフォーマットが決まっている場合には、そのフォーマットで記述されているかどうかで行う。フォーマットが決まっていない場合には、特定のキーワードの含有、画像の有無、植物名リストにある植物名の抽出などで行ってもよい。
【００４６】
次に、各植物標本データのテキスト文を形態素解析し（Ｓ２１０）、テキスト文に含まれるテーマ名とテーマに関連するキーワードの数をカウントする（Ｓ２１１）。そして、テーマ名・キーワードが最も多く含まれているテーマにその植物標本データを割り当てる（Ｓ２１２）。
【００４７】
テーマの選別方法としては、他にもテーマ名を含むページからの被リンク数のカウントなどリンク関係を利用したり、植物標本のうちの特定のデータ（生息地、大きさなど）を利用して分類するのでもよい。
【００４８】
各植物標本のテーマが決定したら、テーマの割り当てられている展示スペースに植物標本を配置する。
【００４９】
まずは、展示スペースの大きさと、テーマに割り当てられた植物標本数から、一つの植物標本をどの程度の大きさでどのように配置するかを計算する（Ｓ２１３）。例えば、標本数XをM×Nに並べて配置するように、展示スペースをM×Nに分割し、各領域のサイズから標本サイズを決定する方法がある。また、展示スペース内に、展示位置をそれぞれ一定以上の間隔が開くようにランダムに配置し、間隔の広さに応じて各標本の大きさを決定するなどの方法も考えられる。
【００５０】
さらに、どの位置にどの植物標本を展示するかを決定する（Ｓ２１４）。あるページからそれぞれの植物標本にリンクが張られている場合には、そのリンクの順番によって展示位置を決定する。他にも、テキスト文内のキーワードの数の類似度によって順番を決定したり、画像の色などの特徴の類似度、大きさなどのデータの順序で決定してもよい。
【００５１】
配置位置とサイズが決定したら、植物標本データの画像から、決定したサイズのサムネイル画像を作成し（Ｓ２１５）、そのサムネイル画像を指定位置に貼り付ける（Ｓ２１６）。さらに、その植物標本が公開されていたウェブページへのリンクをそのサムネイル画像に作成する（Ｓ２１７）。
【００５２】
このように、ウェブページとして公開されている植物標本データを解析して、自動的にテーマに分類し博物館モデルに貼り付けることによって、実世界の博物館を訪れて閲覧するような直感的でわかりやすいインタフェースを持った仮想博物館を容易に作成することが可能となる。また、仮想博物館内の標本のサムネイル画像から元のウェブページにアクセスし三次元展示空間からウェブページの多次元接続網空間に行き来することができるため、情報表現手法が一気に広がり、わかりやすい表現方法を提示することができる。
【００５３】
実施の形態３．
図６に実施の形態３のウェブページ閲覧装置のブロック構成図を示す。実施の形態３のウェブページ閲覧装置は、実施の形態２で示した構成に加えて、さらにテーマ距離計算部３１と、展示スペース距離計算部３２と、テーマ割り付け部３３を備える。
【００５４】
テーマ距離計算部３１は、テーマ選別部２２によってテーマごとに分類されたデジタル資料群間の資料の内容やリンク情報を基にしたテーマ間の関係度合いを表す距離を計算する。関係度合いを表す距離はいくつかの方法が考えられ、二つのテーマのそれぞれのデジタル資料間のリンク距離の平均や、二つのテーマのデジタル資料間に同時に使用されているキーワードの数とその出現回数から計算するものなどがある。
【００５５】
展示スペース距離計算部３２は、仮想建造物作成部１１で作成された仮想三次元建造物の壁や展示台、机といった展示スペース間の距離を計算する。このときの距離は、単純な物理距離ではなく、部屋やフロアといった、仮想建造物内をウォークスルーするときの移動距離に対応して定められる距離である。
【００５６】
テーマ割り付け部３３は、テーマ距離計算部３１で計算された各テーマ間の距離と、展示スペース距離計算部３２で計算された各展示スペース間の距離とを対応付け、テーマ間の距離が反映されるように各テーマの展示スペースを決定する。
【００５７】
次に実施の形態３の動作について説明する。
実施の形態２の説明と同様に、オペレータは仮想建造物作成部１１およびテーマ設定部２１を利用して仮想三次元建造物と展示するテーマを作成するが、仮想三次元建造物の各展示スペースにテーマを割り当てる必要はない。
【００５８】
テーマ選別部２２によって各デジタル資料を展示するテーマを選別すると、テーマ距離計算部３１によってテーマ間の距離計算を行う。このとき、二つのテーマの間の距離は、それぞれのテーマに割り当てられたデジタル資料間の距離を基に計算される。
【００５９】
さらに、展示スペース距離計算部３２によって、仮想建造物作成部１１によって作成された仮想三次元建造物の展示スペース間の距離を計算する。
【００６０】
次にテーマ割り付け部３３によってどの展示スペースにどのテーマのデジタル資料を割り付ければよいかを計算する。最後に自動貼り付け部１４で割り付けられた通りにデジタル資料を展示スペースに配置することにより、仮想展示場を完成させることができる。
【００６１】
以上の構成により、展示スペースにテーマを割り振る手間を省くことができ、より大きなデジタル資料のための仮想展示場を効率的に作成することが可能となる。
【００６２】
以上の動作をより具体的に説明するため、実施の形態２と同様の例を想定し、実施の形態２と異なる部分についての動作を図７のフローチャートを用いて説明する。
【００６３】
実施の形態３では、展示スペースとテーマの対応付けは自動的に行われるため、実施の形態２における図５のステップＳ２０４，２０５に示したように、展示スペースごとにテーマ名、キーワードを入力するのではなく、展示スペースに関係なくテーマを列挙する。
【００６４】
また、展示スペースとテーマの対応付けのために、ステップＳ２１２で示した植物標本へのテーマ割り当てがすべての植物標本に対して終了した後に、図７に示すフローチャートが実行される。
【００６５】
図７に示す動作では、まず二つのテーマの組み合わせすべてに対して、そのテーマ間の距離計算が行われる。最初にそれぞれのテーマごとに割り当てられた植物標本のすべてのテキスト文に出現するキーワード頻度リストを作成する（Ｓ３０１）。それぞれのテーマを、出現キーワードを軸とし出現数をその軸の値としたベクトルで表し、ベクトル間の距離を計算する（Ｓ３０２）。この距離をテーマ間の距離とする。
【００６６】
このとき、テーマを表すベクトルを、出現数上位数十件のキーワードに限定し、計算量を少なくしてもよい。また、テーマ間の距離を、キーワード出現頻度ではなく、リンク先、被リンク元の一致度や、二つのテーマの植物標本間のリンク距離（一方から他方へアクセスするために辿るリンク数）の平均としてもよい。
【００６７】
また、仮想三次元建造物の展示スペース間の距離も計算する。仮想三次元空間建造物を、部屋、フロア、館といった物理的な固まりに分類する（Ｓ３０３）。部屋間、フロア間、館間の距離を移動距離によって計算し（Ｓ３０４）、二つの展示スペースの組み合わせすべてに対して距離を計算する（Ｓ３０５）。
【００６８】
次に、必要であれば展示スペースとテーマの対応付けを一部指定する（Ｓ３０６）。ここで指定した対応は、以降の処理においても維持される。すべての対応付けを自動で行う場合には指定しなくてもよい。
【００６９】
最後に、展示スペースとテーマの対応付けを自動的に行う。展示スペースの部屋、フロア、館といった階層的なカテゴリ構造に合わせて、テーマをカテゴリ化する（Ｓ３０７）。このとき、ステップＳ３０２で作成したベクトルを用いて、ベクトル分布の偏りに応じたカテゴリ化を行う。
【００７０】
そして、カテゴリ間の距離に応じてそれぞれの部屋、フロア、館に展示するテーマのカテゴリを決定する（Ｓ３０８）。さらに、部屋内の展示スペースに対して、展示スペース間の距離に応じて、展示スペースに展示するテーマを決定する（Ｓ３０９）。
【００７１】
以上の処理により、仮想三次元建造物の各展示スペースにテーマを割り当てる作業を行わなくても、内容が似ているテーマが集まるように自動的に割り当てが行われるため、仮想博物館の作成コストを削減することが可能となる。
【００７２】
実施の形態４．
図８に実施の形態４のウェブページ閲覧装置のブロック構成図を示す。実施の形態４では、実施の形態３に示す仮想建造物作成部１１と、展示スペース距離計算部３２と、テーマ割り付け部３３とに代えて、自動レイアウト部４１を備える。
【００７３】
自動レイアウト部４１は、テーマ距離計算部３１で計算された各テーマ間の距離に応じて、テーマを貼り付ける展示スペースを、展示室、フロアといった単位に組み立て、自動的に仮想三次元建造物を生成する。
【００７４】
展示スペースの組み立てはいくつかの方法が考えられ、テーマを階層構造に分類し、各階層の分類に応じて展示室やフロアなどの展示スペースグループを生成する方法や、テーマを展示室に割り当て、テーマ間の関係を展示室間のドアで表現するなどがある。
【００７５】
次に実施の形態４の動作について説明する。
実施の形態４では、オペレータはテーマ設定部２１によって展示するテーマのみを設定する。実施の形態１〜３のように仮想三次元建造物を予め作成する必要はない。
【００７６】
テーマ選別部２２およびテーマ距離計算部３１によって、各テーマにデジタル資料が割り振られ、テーマ間の距離が決定すると、自動レイアウト部４１によって、テーマ間の距離に応じて仮想三次元建造物が構築される。
【００７７】
この建造物に自動貼り付け部１４でデジタル資料を配置することにより、仮想展示場を完成させることができる。
【００７８】
以上の構成により、展示用の仮想三次元建造物を作成する手間を省くことができ、より短期間でデジタル資料のための仮想展示場を効率的に作成することが可能となる。
【００７９】
以上の動作をより具体的に説明するため、実施の形態３と同様の例を想定し、実施の形態３と異なる部分についての動作を図９のフローチャートを用いて説明する。
【００８０】
実施の形態４では、実施の形態３における展示スペースとテーマの対応付けステップＳ３０６〜ステップＳ３０９を図９に示す処理フローに置き換える。また、仮想建造物は作成しないため、実施の形態３のステップＳ１０１〜ステップＳ１０３の処理は必要ない。
【００８１】
まず、テーマを距離に応じてカテゴリ化する（Ｓ４０１）。カテゴリ化手法は図７のステップＳ３０７と同じでよいが、ステップＳ３０７では仮想三次元建造物の構造に合わせてカテゴリを生成したのに対し、ここではデータの分布だけに従ってカテゴリ化を行ってよい。
【００８２】
次に、生成した最下位のカテゴリに対応する仮想三次元建造物の部屋を生成する（Ｓ４０２）。部屋にはそのカテゴリに属するテーマの数に応じて壁や展示台、机を配置する（Ｓ４０３）。さらに、一段上のカテゴリに対応するフロアを生成し（Ｓ４０４）、部屋を距離に応じて配置する（Ｓ４０５）。同様に、館を生成し（Ｓ４０６）、フロアを配置する（Ｓ４０７）。
【００８３】
以上の処理により、内容が似ているテーマが集まるように自動的に仮想三次元建造物が生成されるため、仮想三次元建造物を作成する作業を行わなくて済み、仮想博物館の作成コストを削減することが可能となる。ここでは植物標本の仮想博物館の例を示したが、他にも、写真を展示する仮想ギャラリーや、映像を展示する仮想映画館なども容易に作成することができる。
【００８４】
なお、本発明におけるウェブページ閲覧プログラムは、コンピュータにより読取り可能な記憶媒体に記憶されることができて、各実施の形態のフローチャートに示したステップをコンピュータに実行させる。ここで、上記コンピュータにより読取り可能な媒体には、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
（付記１）ウェブページより取得される複数のサムネイル画像を表示させてウェブページの閲覧を行えるようにするウェブページ閲覧装置であって、
コンピュータディスプレイに表示することができる仮想的な建造物を電子データにより構築し、該建造物の少なくとも壁、机を含む複数の所定の展示スペースを構築する仮想建造物作成部と、
インターネット上でウェブページを解析してツリー構造に変換するリンク解析部と、
前記リンク解析部により得られたツリー構造の各部を前記複数の展示スペースのそれぞれに対して割り付けて展示場を構成するページ割り付け部と、
前記展示スペースに割り付けられたページのサムネイル画像のすべてが貼り付けられるようにサムネイル画像の大きさと位置を調整して貼り付ける貼り付け部と、
前記仮想的な建造物内をウォークスルーするようにウェブページを閲覧させる仮想展示場閲覧部と
を備えるウェブページ閲覧装置。
（付記２）ウェブページより取得される複数のサムネイル画像を表示させてウェブページの閲覧を行えるようにするウェブページ閲覧装置であって、
コンピュータディスプレイに表示することができる仮想的な建造物を電子データにより構築し、該建造物の少なくとも壁、机を含む複数の所定の展示スペースを構築する仮想建造物作成部と、
前記複数の展示スペースに対応してテーマを設定するテーマ設定部と、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、
前記テーマ選別部により選別されたテーマに対応するデジタル資料についてのサムネイル画像のすべてが、前記テーマ設定部により設定されたテーマに対応する展示スペースに貼り付けられるようにサムネイル画像の大きさと位置を調整して貼り付ける貼り付け部と、
前記仮想的な建造物内をウォークスルーするようにウェブページを閲覧させる仮想展示場閲覧部と
を備えるウェブページ閲覧装置。
（付記３）ウェブページより取得される複数のサムネイル画像を表示させてウェブページの閲覧を行えるようにするウェブページ閲覧装置であって、
コンピュータディスプレイに表示することができる仮想的な建造物を電子データにより構築し、該建造物の少なくとも壁、机を含む複数の所定の展示スペースを構築する仮想建造物作成部と、
ウェブページ閲覧のために、展示しようとするテーマを設定するテーマ設定部と、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、
前記テーマ選別部により選別されたテーマのうちから任意の二つのテーマに対してデジタル資料同士のリンク関係および資料内のテーマに関するキーワードの共起関係によりテーマ間の距離を計算するテーマ距離計算部と、
前記複数の展示スペース間の物理的な距離を計算する展示スペース距離計算部と、
前記展示スペース距離計算部により計算された展示スペース間の距離と前記テーマ距離計算部により計算されたテーマ間の距離を対応付けて、各展示スペースに展示するテーマを割り付けるテーマ割り付け部と、
前記テーマ割り付け部により割り付けられたテーマに対応するデジタル資料についてのサムネイル画像のすべてが、該テーマが割り付けられた展示スペースに貼り付けられるようにサムネイル画像の大きさと位置を調整して貼り付ける貼り付け部と、
前記仮想的な建造物内をウォークスルーするようにウェブページを閲覧させる仮想展示場閲覧部と
を備えるウェブページ閲覧装置。
（付記４）ウェブページより取得される複数のサムネイル画像を表示させてウェブページの閲覧を行えるようにするウェブページ閲覧装置であって、
ウェブページ閲覧のために、展示しようとするテーマを設定するテーマ設定部と、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別部と、
前記テーマ選別部により選別されたテーマのうちから任意の二つのテーマに対してデジタル資料同士のリンク関係および資料内のテーマに関するキーワードの共起関係によりテーマ間の距離を計算するテーマ距離計算部と、
前記テーマ距離計算部により計算されたテーマ間の距離に基づいて、展示スペースを組み合わせた展示室を自動的に生成し、さらに展示室を組み合わせて展示場を自動的に生成する自動レイアウト部と、
前記自動レイアウト部により生成された展示場の展示スペースにテーマに対応するデジタル資料についてのサムネイル画像のすべてを貼り付ける貼り付け部と、
前記仮想的な建造物内をウォークスルーするようにウェブページを閲覧させる仮想展示場閲覧部と
を備えるウェブページ閲覧装置。
（付記５）ウェブページより取得される複数のサムネイル画像を表示させてウェブページの閲覧を行うことをコンピュータに実行させるウェブページ閲覧プログラムであって、
コンピュータディスプレイに表示することができる仮想的な建造物を電子データにより構築し、該建造物の少なくとも壁、机を含む複数の所定の展示スペースを構築する仮想建造物作成ステップと、
インターネット上でウェブページを解析してツリー構造に変換するツリー解析ステップと、
前記ツリー解析ステップにより得られたツリー構造の各部を前記複数の展示スペースのそれぞれに対して割り付けて展示場を構成するページ割り付けステップと、
前記展示スペースに割り付けられたページのサムネイル画像のすべてが貼り付けられるようにサムネイル画像の大きさと位置を調整して貼り付ける貼り付けステップと、
前記仮想的な建造物内をウォークスルーするようにウェブページを閲覧させる仮想展示場閲覧ステップと
をコンピュータに実行させるウェブページ閲覧プログラム。
（付記６）ウェブページより取得される複数のサムネイル画像を表示させてウェブページの閲覧を行うことをコンピュータに実行させるウェブページ閲覧プログラムであって、
コンピュータディスプレイに表示することができる仮想的な建造物を電子データにより構築し、該建造物の少なくとも壁、机を含む複数の所定の展示スペースを構築する仮想建造物作成ステップと、
前記複数の展示スペースに対応してテーマを設定するテーマ設定ステップと、
ウェブページ上のデジタル資料に対して、ファイル名、リンク情報、資料の内容を取得し、それらの内容に対応するテーマであって、前記テーマ設定ステップにより設定されたテーマに対応するテーマを選別するテーマ選別ステップと、
前記テーマ選別ステップにより選別されたテーマに対応するデジタル資料についてのサムネイル画像のすべてが、前記テーマ設定ステップにより設定されたテーマに対応する展示スペースに貼り付けられるようにサムネイル画像の大きさと位置を調整して貼り付ける貼り付けステップと、
前記仮想的な建造物内をウォークスルーするようにウェブページを閲覧させる仮想展示場閲覧ステップと
をコンピュータに実行させるウェブページ閲覧プログラム。
（付記７）ウェブページより取得される複数のサムネイル画像を表示させてウェブページの閲覧を行うことをコンピュータに実行させるウェブページ閲覧プログラムであって、
コンピュータディスプレイに表示することができる仮想的な建造物を電子データにより構築し、該建造物の少なくとも壁、机を含む複数の所定の展示スペースを構築する仮想建造物作成ステップと、
ウェブページ閲覧のために、展示しようとするテーマを設定するテーマ設定ステップと、
ウェブページ上のデジタル資料に対して、ファイル名、リンク情報、資料の内容を取得し、それらの内容に対応するテーマであって、前記テーマ設定ステップにより設定されたテーマに対応するテーマを選別するテーマ選別ステップと、
前記テーマ選別ステップにより選別されたテーマのうちから任意の二つのテーマに対してデジタル資料同士のリンク関係および資料内のテーマに関するキーワードの共起関係によりテーマ間の距離を計算するテーマ距離計算ステップと、
前記複数の展示スペース間の物理的な距離を計算する展示スペース距離計算ステップと、
前記展示スペース距離計算ステップにより計算された展示スペース間の距離と前記テーマ距離計算ステップにより計算されたテーマ間の距離を対応付けて、各展示スペースに展示するテーマを割り付けるテーマ割り付けステップと、
前記テーマ割り付けステップにより割り付けられたテーマに対応するデジタル資料についてのサムネイル画像のすべてが、該テーマが割り付けられた展示スペースに貼り付けられるようにサムネイル画像の大きさと位置を調整して貼り付ける貼り付けステップと、
前記仮想的な建造物内をウォークスルーするようにウェブページを閲覧させる仮想展示場閲覧ステップと
をコンピュータに実行させるウェブページ閲覧プログラム。
（付記８）ウェブページより取得される複数のサムネイル画像を表示させてウェブページの閲覧を行うことをコンピュータに実行させるウェブページ閲覧プログラムであって、
ウェブページ閲覧のために、展示しようとするテーマを設定するテーマ設定ステップと、
ウェブページ上のデジタル資料に対して、ファイル名、リンク情報、資料の内容を取得し、それらの内容に対応するテーマであって、前記テーマ設定部により設定されたテーマに対応するテーマを選別するテーマ選別ステップと、
前記テーマ選別ステップにより選別されたテーマのうちから任意の二つのテーマに対してデジタル資料同士のリンク関係および資料内のテーマに関するキーワードの共起関係によりテーマ間の距離を計算するテーマ距離計算ステップと、
前記テーマ距離計算ステップにより計算されたテーマ間の距離に基づいて、展示スペースを組み合わせた展示室を自動的に生成し、さらに展示室を組み合わせて展示場を自動的に生成する自動レイアウトステップと、
前記自動レイアウトステップにより生成された展示場の展示スペースにテーマに対応するデジタル資料についてのサムネイル画像のすべてを貼り付ける貼り付けステップと、
前記仮想的な建造物内をウォークスルーするようにウェブページを閲覧させる仮想展示場閲覧ステップと
をコンピュータに実行させるウェブページ閲覧プログラム。
【図面の簡単な説明】
【００８５】
【図１】実施の形態１を示すブロック図である。
【図２】実施の形態１の具体的動作を示すフローチャートである。
【図３】実施の形態２を示すブロック図である。
【図４】実施の形態２の具体的動作を示すフローチャートその１である。
【図５】実施の形態２の具体的動作を示すフローチャートその２である。
【図６】実施の形態３を示すブロック図である。
【図７】実施の形態３の具体的動作を示すフローチャートである。
【図８】実施の形態４を示すブロック図である。
【図９】実施の形態４の具体的動作を示すフローチャートである。
【図１０】ウェブページの網構造からツリー構造への変換を示す図である。
【図１１】ページ割り付けの例を示す図である。
【図１２】コンピュータ画面における仮想建造物内の展示場を示す図である。
【符号の説明】
【００８６】
１１  仮想建造物作成部、１２  リンク解析部、１３  ページ割り付け部、１４  自動貼り付け部、１５  仮想展示場閲覧部、２１  テーマ設定部、２２  テーマ選別部、３１  テーマ距離計算部、３２  展示スペース距離計算部、３３  テーマ割り付け部、４１  自動レイアウト部。
【図１】
2006107358.tif 000003
【図２】
2006107358.tif 000004
【図３】
2006107358.tif 000005
【図４】
2006107358.tif 000006
【図５】
2006107358.tif 000007
【図６】
2006107358.tif 000008
【図７】
2006107358.tif 000009
【図８】
2006107358.tif 000010
【図９】
2006107358.tif 000011
【図１０】
2006107358.tif 000012
【図１１】
2006107358.tif 000013
【図１２】
2006107358.tif 000014